(57)【要約】【課題】インストゥルメンタルパネルの搭載スペースを有効に利用することができ、汎用性が高く、取り付けが容易で、かつ、運行データの回収が容易なデジタルタコグラフ及び車両を提供する。【解決手段】時刻とその時刻の車速と走行距離とを含む運行データを記録するデジタルタコグラフであって、車両のインストゥルメンタルパネル２１に搭載される車載部２と、運行データを記録する記憶部を有し車載部２に着脱自在に設けられるモジュール部３と、を備え、車載部２は、インストゥルメンタルパネル２１に設けられたスイッチパネル２２のスイッチ挿入用穴２３に取り付けられるものである。【選択図】図１
2015084161.tif 000002
【特許請求の範囲】
【請求項１】
時刻とその時刻の車速と走行距離とを含む運行データを記録するデジタルタコグラフであって、
車両のインストゥルメンタルパネルに搭載される車載部と、前記運行データを記録する記憶部を有し前記車載部に着脱自在に設けられるモジュール部と、を備え、
前記車載部は、前記インストゥルメンタルパネルに設けられたスイッチパネルのスイッチ挿入用穴に取り付けられる
ことを特徴とするデジタルタコグラフ。
【請求項２】
時刻とその時刻の車速と走行距離とを含む運行データを記録するデジタルタコグラフを備えた車両であって、
前記デジタルタコグラフは、インストゥルメンタルパネルに搭載される車載部と、前記運行データを記録する記憶部を有し前記車載部に着脱自在に設けられるモジュール部と、を備え、
前記車載部は、前記インストゥルメンタルパネルに設けられたスイッチパネルのスイッチ挿入用穴に取り付けられる
ことを特徴とする車両。
【発明の詳細な説明】
【技術分野】
【０００１】
本発明は、時刻とその時刻の車速と走行距離とを含む運行データを記録するデジタルタコグラフ及び車両に関するものである。
【背景技術】
【０００２】
従来より、時刻とその時刻の車速、走行距離、エンジン回転数等の運行データを記録するタコグラフが知られている。タコグラフとしては、従来より、チャート紙に記録するアナログタコグラフが用いられている。アナログタコグラフは、１ＤＩＮサイズ（ＤＩＮはドイツ工業規格、幅１８０ｍｍ×高さ５０ｍｍ）の大きさに形成されるのが通常である。
【０００３】
近年、上述のアナログタコグラフに替えて、運行データをメモリーカード等にデジタル形式で記録するデジタルタコグラフが用いられてきている。デジタルタコグラフは、チャート紙を挿入するための機構が不要なため技術的には小型化が可能であるが、アナログタコグラフとの取付互換性を確保すべく、アナログタコグラフと同様の１ＤＩＮサイズに形成されるのが通常であった。
【０００４】
ところで、日本では、車両総重量が８ｔ以上のトラックにおいては、タコグラフを搭載することが義務付けられているが、今後それ以外の車両に対しても、安全指導のための運行管理を目的としてタコグラフの搭載が必須となる可能性がある。そのため、架装機器などを取り付けるために準備されている貴重なＤＩＮスペースを、タコグラフのために使用しなければならなくなり、架装機器等の取り付けスペースが不足するおそれがある、という問題がある。架装機器としては、例えば、冷凍庫の温度管理のための操作スイッチや温度表示パネルが一体となった機器などが挙げられる。
【０００５】
なお、１ＤＩＮ以下のサイズ（例えば幅１００ｍｍ）のデジタルタコグラフも開発されているが、インストゥルメンタルパネルにデジタルタコグラフ専用の搭載スペースを確保することは容易ではなく、結果的にＤＩＮスペースに搭載することになっている。
【０００６】
また、従来のデジタルタコグラフでは、運行データの回収のためにＳＤカード等の記録メディアを使用する必要があり、運行データの回収に手間がかかるという問題もあった。
【０００７】
特許文献１では、車載器とタコグラフモジュールとからなる２分割構成のデジタルタコグラフについて記載されており、車載器をメータ部等に組み込むことが開示されている。
【０００８】
特許文献１のデジタルタコグラフでは、運行データを記録する記憶部を含むタコグラフモジュールを車載器に対して着脱可能に構成されているため、ＳＤカード等の記録メディアを用いずとも、タコグラフモジュールを離脱させて持ち出すことが可能であり、運行データの回収が容易である。
【先行技術文献】
【特許文献】
【０００９】
【特許文献１】特開２０１２−３２８５７号公報
【発明の概要】
【発明が解決しようとする課題】
【００１０】
しかしながら、特許文献１のデジタルタコグラフでは、インストゥルメンタルパネルのメータ部には多くの計器類が搭載されるために、適用する車両によってはメータ部に車載器を搭載できない場合も考えられ、汎用性が低いという問題がある。
【００１１】
特許文献１では、突起状となっているタコグラフモジュールが、交通事故等で衝突した時に乗員に危害を加えないように安全性を考慮すると、インストゥルメンタルパネルの側方からタコグラフモジュールを取り付けるしかなく、広い取り付けスペースを必要とする。そのため、タコグラフモジュールを取り付けるためのインストゥルメンタルパネルの構造の変更、すなわち、インストゥルメンタルパネルの加工が必須となり、取り付けに手間が掛かる、という問題もある。
【００１２】
そこで、本発明の目的は、上記課題を解決し、インストゥルメンタルパネルの搭載スペースを有効に利用することができ、汎用性が高く、取り付けが容易で、かつ、運行データの回収が容易なデジタルタコグラフ及び車両を提供することにある。
【課題を解決するための手段】
【００１３】
本発明は上記目的を達成するために創案されたものであり、時刻とその時刻の車速と走行距離とを含む運行データを記録するデジタルタコグラフであって、車両のインストゥルメンタルパネルに搭載される車載部と、前記運行データを記録する記憶部を有し前記車載部に着脱自在に設けられるモジュール部と、を備え、前記車載部は、前記インストゥルメンタルパネルに設けられたスイッチパネルのスイッチ挿入用穴に取り付けられるデジタルタコグラフである。
【００１４】
また、本発明は、時刻とその時刻の車速と走行距離とを含む運行データを記録するデジタルタコグラフを備えた車両であって、前記デジタルタコグラフは、インストゥルメンタルパネルに搭載される車載部と、前記運行データを記録する記憶部を有し前記車載部に着脱自在に設けられるモジュール部と、を備え、前記車載部は、前記インストゥルメンタルパネルに設けられたスイッチパネルのスイッチ挿入用穴に取り付けられる車両である。
【発明の効果】
【００１５】
本発明によれば、インストゥルメンタルパネルの搭載スペースを有効に利用することができ、汎用性が高く、取り付けが容易で、かつ、運行データの回収が容易なデジタルタコグラフ及び車両を提供できる。
【図面の簡単な説明】
【００１６】
【図１】（ａ）は、本発明の一実施形態に係るデジタルタコグラフの概略構成図、（ｂ）はデジタルタコグラフを取り付けたインストゥルメンタルパネルの斜視図である。
【図２】（ａ）は図１のデジタルタコグラフの斜視図、（ｂ）はその蓋部を開いたときの斜視図、（ｃ）は、その上面図、（ｄ）はその正面図、（ｅ）はその蓋部を開いたときの正面図、（ｆ）はその側面図、（ｇ）はその背面図である。
【図３】図１のデジタルタコグラフを取り付けたインストゥルメンタルパネルの斜視図である。
【図４】（ａ），（ｂ）は、本発明の一変形例に係るデジタルタコグラフの斜視図である。
【発明を実施するための形態】
【００１７】
以下、本発明の実施形態を添付図面にしたがって説明する。
【００１８】
図１（ａ）は、本実施形態に係るデジタルタコグラフの概略構成図、図１（ｂ）はデジタルタコグラフを取り付けたインストゥルメンタルパネルの斜視図である。
【００１９】
また、図２（ａ）は図１のデジタルタコグラフの斜視図、図２（ｂ）はその蓋部を開いたときの斜視図、図２（ｃ）は、その上面図、図２（ｄ）はその正面図、図２（ｅ）はその蓋部を開いたときの正面図、図２（ｆ）はその側面図、図２（ｇ）はその背面図である。
【００２０】
図１および図２に示すように、デジタルタコグラフ１は、車両のインストゥルメンタルパネル２１に搭載される車載部２と、運行データを記録する記憶部（図示せず）を有し車載部２に着脱自在に設けられるモジュール部３と、を備えている。
【００２１】
本実施形態に係るデジタルタコグラフ１では、車載部２は、車両のインストゥルメンタルパネル２１に設けられたスイッチパネル２２のスイッチ挿入用穴２３に取り付けられる。
【００２２】
スイッチパネル２２は、スイッチベースやスイッチベゼルとも呼ばれ、例えば、フォグランプのスイッチ、４輪駆動／２輪駆動の切替スイッチ、ワイパーのスイッチなどのスイッチ（インパネスイッチやプッシュスイッチとも呼ばれる）が取り付けられる部位である。
【００２３】
図１（ｃ）では、一例として、車載部２をトラックのインストゥルメンタルパネル２１に設けられたスイッチパネル２２にデジタルタコグラフ１を取り付けた場合を示している。スイッチパネル２２には多数のスイッチ挿入用穴２３が設けられており、未使用のスイッチ挿入用穴２３には、スイッチ挿入用穴２３を塞ぐようにダミースイッチ（蓋）２４が挿入されている。なお、図１（ｃ）における符号２５は、架装機器等が取り付けられるＤＩＮスペースである。
【００２４】
車載部２は、スイッチ挿入用穴２３に取り付け可能な形状に形成されている。デジタルタコグラフ１は、車載部２にモジュール部３を装着した際に、全体として、スイッチ挿入用穴２３に挿入される他のスイッチ２６と略同じ形状となるように形成されている。スイッチ挿入用穴２３のサイズについては、特に規格等がないためメーカーや車種等により異なるが、デジタルタコグラフ１（車載部２）は、適用する車両のメーカーや車種に応じて、スイッチ挿入用穴２３に取り付け可能なサイズに形成される。このとき、モジュール部３を変更する必要はない。
【００２５】
以下、デジタルタコグラフ１の形状等について詳細に説明する。
【００２６】
デジタルタコグラフ１は、時刻とその時刻の車速および走行距離を含む運行データを記録するものである。本実施の形態では、時刻とその時刻の車速、走行距離等を車両のキーがオンされている間に継続して記録するとともに、後述する運行ボタン９が押された時刻を運行データとして記録するように構成した。なお、これに限らず、例えば、ＧＰＳ（Global Positioning System）による位置情報、急加速・急減速の履歴など、他の運行データも記録するように構成してもよい。
【００２７】
車載部２の前面には、モジュール部３を挿入する挿入穴４が設けられており、その挿入穴４の底部にはコネクタ１３が設けられている。
【００２８】
モジュール部３は、車載部２の挿入穴４に挿入され収容される本体部１４と、車載部２の挿入穴４から露出するフロント部１５と、を有している。本体部１４の背面には、車載部２のコネクタ１３に嵌合するコネクタ１６が設けられている。モジュール部３を車載部２の挿入穴４に挿入すると、両コネクタ１３，１６が嵌合され、モジュール部３が車載部２に装着される。
【００２９】
フロント部１５の前面（本体部１４と反対側の面）には、パソコン等の外部装置に直接運行データを取り出す時に使用するケーブルを接続するためのＵＳＢコネクタ５が備えられている。
【００３０】
また、フロント部１５の前面には、データランプ６とアラームランプ７が設けられている。データランプ６は、記憶部に書き込み中に点灯するものであり、アラームランプ７は、故障等の異常が発生したときに点灯するものである。データランプ６とアラームランプ７は、例えば発光ダイオードからなる。
【００３１】
デジタルタコグラフ１では、ＵＳＢコネクタ５に埃等のゴミが付着して不具合が発生することを抑制するために、フロント部１５には、ＵＳＢコネクタ５を覆うように、開閉自在な蓋部８が設けられている。本実施形態では、データランプ６とアラームランプ７を含むフロント部１５の前面全体を覆うように、蓋部８を形成している。
【００３２】
蓋部８の前面には、運行ボタン９が設けられている。本実施形態に係るデジタルタコグラフ１は、運行ボタン９が押された時刻を運行データとして記録するように構成されており、業務の開始・終了時刻や運転手交代の時刻等を記録できるようになっている。
【００３３】
車載部２の背面には、図示しない通信ケーブルを接続するためのコネクタ１２が設けられている。デジタルタコグラフ１は、通信ケーブルを介して車両のＥＣＵ（電子制御ユニット）等と通信を行い、車速やエンジン回転数等の運行データを取得し、その取得した運行データを、モジュール部３に内蔵された記憶部に記録するように構成されている。ＥＣＵと通信を行って運行データを取得し記憶部に記録する制御部については、車載部２に搭載されていてもよいし、モジュール部３に搭載されていてもよい。
【００３４】
また、車載部２の上面および下面には、車載部２をスイッチ挿入用穴２３に挿入した際にスイッチ挿入用穴２３の周縁のスイッチパネル２２に係止する係止爪１０が設けられている。車載部２の前方の端部には、側方に突出するフランジ部１１が形成されており、このフランジ部１１と係止爪１０との間にスイッチ挿入用穴２３の周縁のスイッチパネル２２を挟み込むようにして、車載部２がスイッチパネル２２に固定される。
【００３５】
なお、本実施形態では、トラックのインストゥルメンタルパネル２１にデジタルタコグラフ１を取り付けた場合を説明したが、トラック以外の車両にもデジタルタコグラフ１は取り付け可能である。
【００３６】
例えば、図３に示すように、一般的な乗用車では、インストゥルメンタルパネル２１におけるハンドル３１の右下の位置にスイッチパネル２２が設けられていることが多いが、このスイッチパネル２２にデジタルタコグラフ１を取り付けるとよい。
【００３７】
以上説明したように、本実施形態に係るデジタルタコグラフ１では、車両のインストゥルメンタルパネル２１に搭載される車載部２と、運行データを記録する記憶部を有し車載部２に着脱自在に設けられるモジュール部３と、を備え、車載部２は、インストゥルメンタルパネル２１に設けられたスイッチパネル２２のスイッチ挿入用穴２３に取り付けられている。
【００３８】
このように構成することで、車両の外部に運行データを持ち出す際に、メディアを経由せずにデジタルタコグラフ１の一部であるモジュール部３を離脱させて持ち出すことが可能となる。その結果、運行データの回収が容易になり、またメモリーカード等の運行データ持ち出し用のメディアを挿入する部分を省略することが可能になるため、構造をより簡略化し、低コスト化に寄与することも可能になる。
【００３９】
また、デジタルタコグラフ１では、車載部２をスイッチパネル２２に取り付けているため、ＤＩＮスペース２５を使用することなく、空いているスイッチ用のスペースにデジタルタコグラフ１を搭載することが可能となり、インストゥルメンタルパネル２１の搭載スペースを有効に利用することが可能になる。さらに、デジタルタコグラフ１は、スイッチ用のスペースさえ空いていれば容易に搭載が可能であるため、汎用性が高い。
【００４０】
さらにまた、デジタルタコグラフ１は、現状の車両のインストゥルメンタルパネル２１の構造になんら変更を加えることなく取り付けが可能であり、従来のようにタコグラフを取り付けるためにインストゥルメンタルパネル２１を加工する必要がなくなる。そのため、取り付けが非常に容易であり、取り付け時の作業コストを大幅に低減できる。
【００４１】
本実施形態に係る車両は、デジタルタコグラフ１をスイッチパネル２２のスイッチ挿入用穴２３に取り付けたものである。特に、架装機器などのＤＩＮスペースを使用する機器を多く搭載する車両において、本発明の効果は顕著である。
【００４２】
本発明は上記実施形態に限定されるものではなく、本発明の趣旨を逸脱しない範囲で種々の変更を加え得ることは勿論である。
【００４３】
例えば、上記実施形態では、フロント部１５の前面全体を覆うように蓋部８を形成したが、これに限らず、図４（ａ），（ｂ）に示すデジタルタコグラフ４１のように、フロント部１５の一部を覆うように蓋部８を形成してもよい。デジタルタコグラフ４１では、ＵＳＢコネクタ５のみを覆うように蓋部８を形成している。このように構成することで、蓋部８を小型化することが可能になり、蓋部８への干渉による蓋部８の破損のおそれを低減することが可能になる。
【符号の説明】
【００４４】
１  デジタルタコグラフ
２  車載部
３  モジュール部
２１  インストゥルメンタルパネル
２２  スイッチパネル
２３  スイッチ挿入用穴
【図１】
2015084161.tif 000003
【図２】
2015084161.tif 000004
【図３】
2015084161.tif 000005
【図４】
2015084161.tif 000006